(57)【要約】      （修正有）【課題】組合が簡単になり、シャッターの回動を制限する光コネクタのソケットを提供する。【解決手段】光コネクタのソケットコネクタは、先端壁と、前記先端壁に垂直に連接する天板１１、底板１２と、両側壁とを有し、天板１１、底板１２及び両側壁によりプラグを挿入するための開口部が形成され、前記先端壁には前記開口部に連通するようにプラグの挿入をガイドするための挿入口が形成するハウジング１と、ハウジング１に保持される光素子と、前記ハウジング１の開口部に組み込むシャッターと、前記シャッターを前記ハウジングの開口部の閉じた状態に維持させるバネ部材とを含む。ハウジング１の両側壁には、開口部に連通するようにプラグの挿入方向と平行的な溝部１３１がそれぞれ形成され、溝部１３１がハウジング１の先端壁及び側壁に貫通せず、溝部１３１と先端壁の間にはシャッターに当接するための当接部１０３が形成される。【選択図】図６
0003147103.tif 000002
【実用新案登録請求の範囲】
【請求項１】
先端壁と、前記先端壁に垂直に連接する天板と、底板と、両側壁とを有し、前記天板、底板及び両側壁によってプラグを挿入するための開口部が形成され、前記先端壁には前記開口部に連通するようにプラグの挿入をガイドするための挿入口が形成されているハウジングと、
前記ハウジングに保持される光素子と、
前記ハウジングの開口部に組み込まれ、板状を呈するシャッターと、
前記シャッターを前記ハウジングの開口部の閉じた状態に維持させるバネ部材と
を含む光コネクタのソケットにおいて、
前記ハウジングの両側壁には、前記開口部に連通するようにプラグの挿入方向と平行な溝部がそれぞれ形成され、前記溝部が前記ハウジングの先端壁及び側壁に貫通せず、前記溝部と前記先端壁の間には当接部が形成され、前記シャッターには前記挿入口の外方への回動を制限するために前記ハウジングの当接部に当接する被当接部が形成されることを特徴とする光コネクタのソケット。
【請求項２】
前記ハウジングの底板には、前記バネ部材を装着するための取付溝が形成され、取付溝と前記開口部との間には前記バネ部材を前記取付溝に押圧して保持するための押圧板が形成され、前記底板の両端部に当接凸部がそれぞれ形成されることを特徴とする請求項１に記載の光コネクタのソケット。
【請求項３】
前記バネ部材は、コイル状に形成された両バネ本体と、該両バネ本体を連接し、前記取付溝に保持される保持部と、前記ハウジングの当接凸部にそれぞれ当接するスライド部とを有し、各スライド部の末端が前記シャッターに当接するようにスライドできることを特徴とする請求項３に記載の光コネクタのソケット。
【考案の詳細な説明】
【技術分野】
【０００１】
本考案は、光コネクタのソケットに関して、特に、各種ＡＶ機器や光データ伝送機器等において使用される光コネクタのソケットに関するものである。
【背景技術】
【０００２】
この種の光コネクタのソケットは、そのプラグ挿入孔に光コネクタのプラグを挿入することにより、前者に保持されている受光素子又は発光素子とプラグとの光学的接続を行い、光信号の伝達を可能とすることにより当初の目的を達するものであるが、プラグが挿入されていないとき、即ち、その不使用時にプラグ挿入孔をどのようにして閉じるかが当初からの問題であった。
【０００３】
不使用時にプラグ挿入孔を開口したままに放置すれば、その内部への埃その他の異物の侵入は避けられず、いずれ内部に保持されている光素子に汚れが付着し、光伝達効率の低下を招き、ついには所定の光信号伝達が不能となる虞がある。そのため、当初、該プラグ挿入孔には保護キャップを挿入することにより閉塞する構成が採用された。しかし不使用時に該開口部を保護キャップで閉じれば、上記の虞は解消されるものの光コネクタのプラグを挿入する際には当然保護キャップを抜き取らなければならないし、プラグを抜いた後には保護キャップを再度挿入しなければならない。そのため、操作がなかなか厄介になることやプラグ挿入時の保護キャップの保管の問題等もあって、その後、これに代えてプラグ挿入孔の開口部に開閉自在なシャッターを配する構成が採用された。
【０００４】
上記シャッターは初め外開きのそれが採用された。これによってプラグ挿入孔にプラグを挿入している時の保護キャップの保管のような問題はなくなったが、プラグを挿脱する際に、これとは別の操作で、該シャッターを開閉しなければならない厄介な点が問題となり、次にその問題点を解消した内開きのシャッターが採用された。このシャッターは、その一側に配されたヒンジ軸に具備するスプリングによりこれを閉じる方向に付勢された構成となっており、プラグを挿入する際は、その挿入動作により押圧されて開き、プラグを抜く際は、これを単に抜き取るだけで自動的に閉じるようになったものである。従ってシャッターの開閉のための特別の操作が一切不要となり、前記外開きのシャッターに於けるその開閉操作を別に必要とするという問題は解消されることとなった。
【０００５】
特許文献１及び特許文献２に掲示された光コネクタのソケットは、内開きのシャッター付きの光コネクタのソケットであり、プラグを挿入するための開口部を設けるハウジングと、ハウジングに保持された受光又は発光の少なくともいずれかを行う光素子と、開口部の上部にヒンジ軸を介して開閉自在に配されたシャッターと、を有する。プラグを開口部に挿入していない状態では、バネ部材の作用によりシャッターは開口部の閉じた状態を維持している。
【特許文献１】中国実用新案第２８５４６２７号明細書
【特許文献２】中国実用新案第２６６７５１２号明細書
【考案の開示】
【考案が解決しようとする課題】
【０００６】
特許文献１に掲示された光コネクタのソケットのハウジングは、シャッター付きの前ハウジングと後ハウジングとを有し、前ハウジングは、両側壁と該両側壁により連接する天板及び底板を有する。プラグを開口部から抜き取る時に、シャッターがバネ部材の作用により開口部の閉じた状態を維持したが、前記開口部の下部には、シャッターが開口部の外方に回動することを避けるための当接部が形成され、シャッターの端部には当接部に当接するための被当接部が形成され、これによって、シャッターの外方への回動を制限されている。だが、前記当接部を設けるために前ハウジングの底板にスリットを形成することが必要であり、且つ当接部が底板に連接しているので、プラグの挿抜の作用力が過大になり、あるいは、シャッターの多数回の回動によって、前ハウジングの底板が裂ける恐れがあった。
【０００７】
特許文献２に掲示された光コネクタのソケットの構造は、特許文献１に掲示された光コネクタのソケットとほぼ同じであるが、バネ部材がシャッターのヒンジ軸に外装され、組み合う時に、まずバネ部材のコイル状のバネ本体を離れる方向へ引っ張ってから、シャッターのヒンジ軸に外装している。バネ部材の体積が小さく、離れる方向へ引っ張った時にバネ部材が破損する恐れがあり、組み立て操作が複雑になって、生産効率が低下して製造コストが増加してしまう。
【０００８】
上述した欠点に鑑みて、新型の光コネクタのソケットを開発することが必要である。
【０００９】
本考案は、前記の問題点を鑑み、なされたもので、組み立てが簡単になり、シャッターの回動を制限する光コネクタのソケットを提供することを目的とする。
【課題を解決するための手段】
【００１０】
本考案の請求項１に係る光コネクタのソケットコネクタは、先端壁と、前記先端壁に垂直に連接する天板と、底板と、両側壁とを有し、前記天板、底板及び両側壁によってプラグを挿入するための開口部が形成され、前記先端壁には前記開口部に連通するようにプラグの挿入をガイドするための挿入口が形成されているハウジングと、前記ハウジングに保持される光素子と、前記ハウジングの開口部に組み込まれ、板状を呈するシャッターと、前記シャッターを前記ハウジングの開口部の閉じた状態に維持させるバネ部材とを含む光コネクタのソケットにおいて、前記ハウジングの両側壁には、前記開口部に連通するようにプラグの挿入方向と平行な溝部がそれぞれ形成され、前記溝部が前記ハウジングの先端壁及び側壁に貫通せず、前記溝部と先端壁の間には当接部が形成され、前記シャッターには前記挿入口の外方への回動を制限するために前記ハウジングの当接部に当接する被当接部が形成されることを特徴とする。
【００１１】
本考案の請求項２に係る光コネクタのソケットコネクタは、前記ハウジングの底板には、バネ部材を装着するための取付溝が形成され、取付溝と前記開口部との間にはバネ部材を取付溝に押圧して保持するための押圧板が形成され、前記底板の両端部に当接凸部がそれぞれ形成される。
【００１２】
本考案の請求項３に係る光コネクタのソケットコネクタは、前記バネ部材は、コイル状に形成された両バネ本体と、両バネ本体を連接し、前記取付溝に保持される保持部と、前記ハウジングの当接凸部にそれぞれ当接するスライド部とを有し、各スライド部の末端が前記シャッターに当接するようにスライドできる。
【考案の効果】
【００１３】
従来技術に比べ、本考案は以下の利点を有し、前記溝部と先端壁の間にはシャッターに当接するための当接部が形成されることによって、シャッターの挿入口の外方への回動が制限され、シャッターの回動する際の作用力が当接部を完全に受けせず側壁も部分の作用力を同時に分担でき、ハウジングの破損を防止できる。また、バネ部材は、直ちに底板に形成された取付溝に装着されるので、取付方式が簡単になり、組み立て効率が向上し、製造コストが低減される。
【考案を実施するための最良の形態】
【００１４】
以下、図1 〜図８を参照すると、本考案の光コネクタのソケットの好ましい実施形態について、添付図面を参照して説明する。該光コネクタのソケット１００は、プラグ（図示せず）を挿入するための開口部１４を設けるハウジング１と、ハウジング１に保持される光素子２と、ハウジング１に組み込む、埃等の侵入を防止する手段としてのシャッター４と、シャッター４が開口部１４の閉じた状態を維持するバネ部材３と、を有する。
【００１５】
ハウジング１は、プラグを挿入するための前記開口部１４に連通する挿入口１０１が形成される先端壁１０と、先端壁１０に垂直に連接する天板１１と、底板1２と、両側壁１３とを有し、前記開口部１３が天板１１、底板１２、両側壁１３により形成する。挿入口１０１の左右側にはプラグのガイド用突起（図示せず）と嵌合して正確に該プラグを所定の位置まで案内できるようにするためのガイド凹部１０２が形成し、天板１１にはプラグを所定の位置に位置決めするための開口部１４に連通する位置決め孔１１１が設けられる。底板１２にはプラグの挿入方向に平行に延出するように形成される取付溝１４１が形成され、該取付溝１４１と開口部１４との間には、バネ部材３が取付溝１４１に押圧して保持するための押圧板１４２が形成され、底板１２の先端面に隣接する両端部には当接凸部１４３がそれぞれ形成され、本実施状態において、前記取付溝１４１が開口部１４に部分に連通している。
【００１６】
ハウジング１の後端には光素子２を収容するための収容空間１５が形成され、ハウジング１の後壁に収容空間１５に突出し形成された係合部１６により光素子２が収容空間１５に保持され、収容空間１５と開口部１４の間に形成された隔離壁１７には、収容空間１５と開口部１４を連通するための通孔１４４が貫通するように設けられ、プラグの光素子（図示せず）は通孔１４４を介して光素子２との間に光信号を伝送することを実現している。
【００１７】
バネ部材３は、ハウジング１の取付溝１４１に保持され、コイル状に形成された両バネ本体３１と、両バネ本体３１の一側を連接するためのＵ字形状を呈する保持部３２と、両バネ本体３１の他側から外方へそれぞれ延出するように形成されたＬ字形状を呈するためのスライド部３３と、を有し、バネ部材３がハウジング１に組み込む時に、保持部３２がハウジング１の取付溝１４１に収容し保持することにより、保持部３２の上向きの移動が制限される。一対のスライド部３３がハウジング１の一対の当接凸部１４３にそれぞれ当接することによって、バネ部材３の左右方向への移動が制限される。
【００１８】
シャッター４は、基本的に、板状のシャッター本体４０と、シャッター本体４０の一端に連接されて、シャッター本体４０より厚さの基部４５と、シャッター本体４０の裏側に形成された一対の平行なスライド溝４１と、シャッター本体４０の他端に隣接する両側部にそれぞれ形成された直角状を呈する被当接部４６とを含み、シャッター本体４０と基部４５に連接した箇所の両側にはヒンジ軸４２がそれぞれ突出するように形成され、各ヒンジ軸４２には、シャッター本体４０と基部４５に連接する膨出部４３と、膨出部４３２に連接して膨出部４３との間に段差を有する補強部４４を設け、前記ヒンジ軸４２、補強部４４、膨出部４３は、直径が順に大きくなっている。各ヒンジ軸４２の自由端には面取り部４２１がそれぞれ形成される。
【００１９】
ハウジング１の両側壁１３の裏側には、後方から前向きに延出するように形成される溝部１３１がそれぞれ形成され、該溝部１３１が先端壁１０を貫通せず、先端壁１０に連接した箇所にはシャッター４の被当接部４６に当接するための当接部１０３が形成され、シャッター４の被当接部４６とハウジング1の当接部１０３に当接することにより、シャッター４の挿入口１０１の外方への回動が制限される。該溝部１３１が先端壁１０と側壁１３を貫通せず、シャッター４の回動する際の作用力が当接部１０３を完全に受けず側壁１３の部分の作用力を同時に分担でき、ハウジング１の破損を防止できる。
【００２０】
ハウジング１の両側壁１３の下端には、シャッター４の開口部１４に組み込むことをガイドするためのガイド溝１３２がそれぞれ形成され、該ガイド溝１３２が底板１２を貫通している。ガイド溝１３２に対応する側壁１３には、シャッター４のヒンジ軸４２を回動自由に支持する軸受部１３３が貫通するように形成される。ハウジング１の各当接凸部１４３と側壁１３の間には底板１２を貫通する切欠き部１２１がそれぞれ形成され、切欠け部１２１が底板１２の先端から後向きに延出するように形成される。両側壁１３は切欠け部１２１により片持ち状を呈するように配置され、弾性的な変形ができる。
【００２１】
前記シャッター４をハウジング１の開口部１４に組み込む時に、ヒンジ軸４２の面取り部４２１に前記各側壁１３を外方へ向きに弾性的に拡張させ、シャッター４のヒンジ軸４２が前記軸受部１３３に装着されるまでに側壁１３が初期状態に回復することによって、シャッター４が安定してハウジング１に保持される。このとき、前記補強部４４がガイド溝１３２に収容し、該補強部４４によりヒンジ軸４２が破損することを防止できる。膨出部４３は、両側壁１３に隣接するように位置するのでシャッター４が左右方向での揺動を生じる際に両側壁１３に当接することによって、シャッター４の左右方向での揺動量が所定の範囲に制限できる。バネ部材３のスライド部３３がシャッター４のスライド溝４１に沿ってスライドするように当接することで、バネ部材３の作用によりシャッター４は開口部１４の閉じた状態を維持している。シャッター４の被当接部４６がハウジング１の当接部１０３に当接することによって、シャッター４の挿入口１０１の外方への回動が制限される。
【００２２】
バネ部材３が直ちに取付溝１４１に装着されるので、従来技術に較べて、取付方式が簡単になり、組み立て効率が向上し、製造コストが低減される。
【００２３】
光コネクタのソケット１００は、ハウジング１の底板１２から下向きに延出するように形成された取付部１２２によって回路基板に実装される。プラグを挿入口１０１から開口部１４に挿入すると、その先端に押されてシャッター本体４０はそのヒンジ軸４２を中心に回動し、該プラグの挿入距離に応じた状態で開くこととなる。このようにシャッター本体４０が押されてバネ部材３のスライド部３３はシャッター４のスライド溝４１に沿って後方に向かってスライド移動させる。プラグを開口部１４に挿入完了状態になると、シャッター本体４０はプラグと平行な状態にまで回動している。プラグを開口部１４から抜き取る場合は、シャッター本体４は、バネ部材の弾性により、シャッター４の被当接部４６とハウジング１の当接部１０３に当接する状態までに挿入口側へ自動復帰する。
【００２４】
以上本考案について最良の実施の形態を参照して詳細に説明したが、実施形態はあくまでも例示的なものであり、これらに限定されるものではない。また上述の説明は、本考案に基づきなしうる細部の修正或は変更など、いずれも本考案の請求範囲に属するものとする。
【図面の簡単な説明】
【００２５】
【図１】本考案に係る光コネクタのソケットの組立斜視図である。
【図２】図１に示す光コネクタのソケットの他の角度から見た斜視図である。
【図３】本考案に係る光コネクタのソケットの分解斜視図である。
【図４】図３に示す光コネクタのソケットの他の角度から見た分解斜視図である。
【図５】本考案に係る光コネクタのソケットのシャッターを外した組立斜視図である。
【図６】図３に示す光コネクタのソケットのハウジングのA-A線に沿っての断面図である。
【図７】本考案に係る光コネクタのソケットの底面図である。
【図８】本考案に係る光コネクタのソケットのシャッターの斜視図である。
【符号の説明】
【００２６】
１００  光コネクタのソケット
１  ハウジング
１０  先端面
１１  天板
１２  底板
１３  側壁
１４  開口部
１５  収容空間
１６  係合部
１７  隔離壁
１０１  挿入口
１０２  ガイド凹部
１０３  当接部
１１１  位置決め孔
１２１  切欠き部
１２２  取付部
１３１  溝部
１３２  ガイド溝
１３３  軸受部
１４１  取付溝
１４２  押圧板
１４３  当接凸部
１４４  通孔
２  光素子
３  バネ部材
３１  バネ本体
３２  保持部
３３  固持部
４  シャッター
４０  シャッター本体
４１  スライド溝
４２  ヒンジ軸
４３  膨出部
４４  補強部
４５  基部
４６  被当接部
４２１  面取り  
【図１】
0003147103.tif 000003
【図２】
0003147103.tif 000004
【図３】
0003147103.tif 000005
【図４】
0003147103.tif 000006
【図５】
0003147103.tif 000007
【図６】
0003147103.tif 000008
【図７】
0003147103.tif 000009
【図８】
0003147103.tif 000010
【手続補正書】
【提出日】平成20年10月10日(2008.10.10)
【手続補正１】
【補正対象書類名】実用新案登録請求の範囲
【補正対象項目名】全文
【補正方法】変更
【補正の内容】
【実用新案登録請求の範囲】
【請求項１】
先端壁と、前記先端壁に垂直に連接する天板と、底板と、両側壁とを有し、前記天板、底板及び両側壁によってプラグを挿入するための開口部が形成され、前記先端壁には前記開口部に連通するようにプラグの挿入をガイドするための挿入口が形成されているハウジングと、
前記ハウジングに保持される光素子と、
前記ハウジングの開口部に組み込まれ、板状を呈するシャッターと、
前記シャッターを前記ハウジングの開口部の閉じた状態に維持させるバネ部材と
を含む光コネクタのソケットにおいて、
前記ハウジングの両側壁には、前記開口部に連通するようにプラグの挿入方向と平行な溝部がそれぞれ形成され、前記溝部が前記ハウジングの先端壁及び側壁に貫通せず、前記溝部と前記先端壁の間には当接部が形成され、前記シャッターには前記挿入口の外方への回動を制限するために前記ハウジングの当接部に当接する被当接部が形成されることを特徴とする光コネクタのソケット。
【請求項２】
前記ハウジングの底板には、前記バネ部材を装着するための取付溝が形成され、取付溝と前記開口部との間には前記バネ部材を前記取付溝に押圧して保持するための押圧板が形成され、前記底板の両端部に当接凸部がそれぞれ形成されることを特徴とする請求項１に記載の光コネクタのソケット。
【請求項３】
前記バネ部材は、コイル状に形成された両バネ本体と、該両バネ本体を連接し、前記取付溝に保持される保持部と、前記ハウジングの当接凸部にそれぞれ当接するスライド部とを有し、各スライド部の末端が前記シャッターに当接するようにスライドできることを特徴とする請求項２に記載の光コネクタのソケット。